(57)【特許請求の範囲】
【請求項１】
研削による消耗量の差により外周面に凹凸が発生した砥石車のツルーイングにおいて、前記砥石車の前記凹凸のうち最も低い凹部を除いた連続する凹凸部の合計幅より広いツルーイング作用面の幅を備えたツルアを用い、前記砥石車の回転軸を含む面内で前記砥石車の研削作用面に沿った相対運動をさせて、少なくとも、前記最も低い凹部に隣接する凸部のツルーイング時には前記ツルアを前記凸部と常に接触させながら前記相対運動をさせ、前記凸部の除去終了時には前記凸部の幅より広い幅で前記ツルアと前記砥石車を接触させるツルーイング方法。
【請求項２】
前記砥石車の回転軸を含む断面において前記砥石車の研削作用面の形状が直線で構成され、前記ツルアのツルーイング面が円筒または平面または円錐で、前記ツルアが前記砥石車の研削作用面に沿った併進運動と、前記ツルアを前記砥石車に切込む切込み運動をさせる、請求項１記載のツルーイング方法。
【請求項３】
前記砥石車と前記ツルアとの接触状態を検知する接触検知手段を備えたツルーイング装置を用いて、前記接触検知手段の接触状態の検知出力変動と前記ツルアと前記砥石車の相対位置に基づき、前記砥石車のツルーイング終了判定をする、請求項１または請求項２に記載のツルーイング方法。
【請求項４】
前記ツルアを選択された凸部と常に接触させながら前記相対運動をさせ、選択された凸部の除去終了時には選択された凸部の幅より広い幅で前記ツルアと前記砥石車を接触させ、前記ツルーイング終了判定により、次の順番の凸部のツルーイングを開始する請求項３に記載のツルーイング方法。
【発明の詳細な説明】
【技術分野】
【０００１】
本発明は、研削盤の砥石車のツルーイング方法に関するものであり、詳しくは回転する砥石車外周のツルーイング対象面をツルアによってツルーイングする砥石車のツルーイング方法に関するものである。
【背景技術】
【０００２】
研削後の砥石車の形状乱れを成形するためのツルーイング方法として、ツルーイングロールをトラバース送りして砥石車を成形する従来技術（例えば、特許文献１参照）がある。
【０００３】
図１１に示すような幅が異なる複数の被加工部を持つ工作物Ｗを1枚の砥石車４５を用いて研削する場合、プランジ研削とトラバース研削を併用して、できる限り砥石車４５の消耗が均一となる研削サイクルを採用するが、砥石車４５の幅方向の位置により研削量が異なることを完全に避けることは困難である。このため、研削量の多い研削作用面は研削による磨耗が大きく径の減少が大きくなり、研削量の少ない研削作用面は研削による磨耗が小さく径の減少が小さくなる。結果として、砥石車４５の外周面の幅方向に凹凸が生じる。
砥石車４５が研削による消耗で所望の研削性能を発揮できなくなった場合に、この凹凸の除去を含む砥石車４５の成形が必要となり、ツルーイングが実施される。
特許文献１に記載の従来技術について以下に説明する。
図１１に示す研削盤において、砥石車４５は、Ｚ軸と平行な回転軸を持つ砥石軸４８に装着され、Ｘ軸方向に往復可能な砥石台４１に保持される。ツルーイング装置４７は、砥石車４５の回転軸と平行な軸で回転するツルーイングロール４６を備え、Ｚ軸方向へ往復可能なテーブル４２上に設置された主軸台４３に配置される。
ツルーイングは以下のように実施する。
図１２において、砥石車４５をＸ軸方向でツルーイングロール４６に接近させて砥石車４５とツルーイングロール４６が接触した状態で、ツルーイングロール４６をＺ軸方法へトラバースさせ砥石車４５から抜けた位置で停止させる。次に、砥石車４５をＸ軸方向でツルーイングロール４６に接近する方向へ所定量送りツルーイングロール４６を砥石車４５に切込む。ツルーイングロール４６をＺ軸方向で先ほどと反対方向にトラバースさせ砥石車４５から抜けた位置で停止させる。さらに、ツルーイングロール４６を砥石車４５に所定量切込み、ツルーイングロール４６をＺ軸方向で先ほどと反対方向にトラバースさせ砥石車４５から抜けた位置で停止させる。以上の切込みとトラバース送りを繰り返して、砥石車４５の外周面の凹凸がなくなった時点でツルーイングを終了する。
ここで、ツルーイングロール４６の幅Ｂ６はツルーイングロールの低コスト化と、ツルーイング時の法線力を制限して所定の接触面圧を得るため通常５ｍｍ以下であり、砥石車の凹凸部の幅Ｂ１〜Ｂ４は通常５ｍｍ〜数十ｍｍ程度である。
【先行技術文献】
【特許文献】
【０００４】
【特許文献１】特開２００７−２６０８８０号公報
【発明の概要】
【発明が解決しようとする課題】
【０００５】
従来技術では、ツルーイングロール４６の幅Ｂ６が最低凹部の幅Ｂ３より狭い場合が多く、この場合には砥石車表面が平坦化されるまでに砥石車の最低凹部が余分に除去され、過剰な砥石消耗とツルーイング時間の増大が避けられなかった。その詳細を以下に説明する。
ツルーイング時に砥石車４５が実用的なオーダで除去されるには、所定以上のツルーイングロール４６と砥石車４５の法線方向の接触力が必要である。その力は砥石車４５にツルーイングロール４６が切込まれ、砥石車４５とツルーイングロール４６が相対的に弾性変位することで発生する。このときのツルーイングロール４６の切込量をＫ、砥石除去深さをＪ、砥石車４５とツルーイングロール４６の相対的な弾性変位をＤとすると、Ｊ＝Ｋ−Ｄとなる。切込量Ｋに対する除去深さＪの比率Ｃ＝Ｊ／Ｋは切込量と系の構造によって異なるが０．３〜０．７程度である。
突出しの大きい凸部から順にツルーイングされ、図１３に示すように、凸部と最低凹部の段差Ｅ０が切込量Ｋより小さくなると、ツルーイングロールが凸部と最低凹部の両面に接触する、この状態での段差とツルーイング回数の関係は以下のように表せる。初期段差高さをＥ０とすると、凸部の除去深さはＫ・Ｃ＝Ｊとなり、最低凹部の除去深さは（Ｋ−Ｅ０）・Ｃとなり、1回のツルーイング後の段差Ｅ１はＥ１＝Ｅ０−Ｋ・Ｃ＋（Ｋ−Ｅ０）・Ｃ＝Ｅ０（１−Ｃ）となる。２回目のツルーイング後の段差Ｅ２はＥ２＝Ｅ１（１−Ｃ）＝Ｅ０（１−Ｃ）２となり、ｎ回後の段差はＥｎ＝Ｅ０（１−Ｃ）ｎとなる。
この間の最低凹部の総除去深さＨはＨ＝ｎ・Ｊ−Ｅ０（１−（１−Ｃ）ｎ）となり、これは本来不要な過剰な除去量である。
特許文献１に示す従来技術では、形修正ツルーイングと目立てツルーイングでツルアロールと砥石車の回転速度比率を変えることで、形修正ツルーイング時の切込量Ｋと除去深さＪの比であるＣを大きくして、最低凹部の過剰な除去を減少させることが可能である。しかしながら最低凹部の過剰な除去を完全には無くすことができない。
本発明は上記事情に鑑みてなされたものであり、砥石車外周面の凸部を選択的にツルーイングし平坦化した後に全表面をツルーイングすることで、過剰な砥石除去とツルーイング時間の増大が生じないツルーイング方法を提供することを目的とする。
【課題を解決するための手段】
【０００６】
上記の課題を解決するため、請求項１に係る発明の特徴は、研削による消耗量の差により外周面に凹凸が発生した砥石車のツルーイングにおいて、前記砥石車の前記凹凸のうち最も低い凹部を除いた連続する凹凸部の合計幅より広いツルーイング作用面の幅を備えたツルアを用い、前記砥石車の回転軸を含む面内で前記砥石車の研削作用面に沿った相対運動をさせて、少なくとも、前記最も低い凹部に隣接する凸部のツルーイング時には前記ツルアを前記凸部と常に接触させながら前記相対運動をさせ、前記凸部の除去終了時には前記凸部の幅より広い幅で前記ツルアと前記砥石車を接触させることである。
【０００７】
請求項２に係る発明の特徴は、請求項１に係る発明において、前記砥石車の回転軸を含む断面において前記砥石車の研削作用面の形状が直線で構成され、前記ツルアのツルーイング面が円筒または平面または円錐で、前記ツルアが前記砥石車の研削作用面に沿った併進運動と、前記ツルアを前記砥石車に切込む切込み運動をさせることである。
【０００８】
請求項３に係る発明の特徴は、請求項１または請求項２に係る発明において、前記砥石車と前記ツルアとの接触状態を検知する接触検知手段を備えたツルーイング装置を用いて、前記接触検知手段の接触状態の検知出力変動と前記ツルアと前記砥石車の相対位置に基づき、前記砥石車のツルーイング終了判定をすることである。
【０００９】
請求項４に係る発明の特徴は、請求項３に係る発明において、前記ツルアを選択された凸部と常に接触させながら前記相対運動をさせ、選択された凸部の除去終了時には選択された凸部の幅より広い幅で前記ツルアと前記砥石車を接触させ、前記ツルーイング終了判定により、次の順番の凸部のツルーイングを開始することである。
【発明の効果】
【００１０】
請求項1に係る発明によれば、ツルーイング初期にはツルアと砥石車の外周面の凸部が接触しており、最低凹部にツルアが接触することはない。凸部のみが選択的に除去され、全ての凸部が最低凹部と同じ高さに平坦化された後に最低凹部を含む砥石車の全面がツルーイングされる。このため、最低凹部の過剰な除去が防止でき砥石寿命が長くなり、研削加工のコストを低下できる。さらに、効率的に段差除去ができツルーイング時間を短縮できるため、研削加工の効率を向上できる。
【００１１】
請求項２に係る発明によれば、工作物の加工部形状が円筒、円錐及びショルダ付き円筒、ショルダ付き円錐の研削加工における、コスト低下と、効率を向上できる。
【００１２】
請求項３に係る発明によれば、凸部のツルーイングが終了し段差がなくなったことを、ツルアと砥石車の接触幅が広くなることによる接触検知手段の出力変動で判定できるので、当該凸部の除去を終えたと判定した時点で、仕上げツルーイングサイクルを起動してツルーイングを終了する。これにより、余裕を見たツルーイングサイクルが不要となり、砥石の過剰な除去と、無駄な時間をなくしたツルーイングを実現できる。
【００１３】
請求項４に係る発明によれば、ツルアを選択された凸部と常に接触させながら前記相対運動をさせるので、従来技術のようなツルアと砥石車が接触しないで往復運動する無駄な行程がなく、砥石作用面に沿った相対運動中は全て砥石の除去作用があり、全ての凸部を最短時間で除去できる。選択された凸部の除去終了を接触検知手段の出力変動で判定できるので、余分な往復運動をすることなく次の凸部のツルーイングに移行できる。これにより、凸部の最短時間での除去と、余裕を見たツルーイングサイクルの廃止が可能となり、効率の良いツルーイングを実現できる。
【図面の簡単な説明】
【００１４】
【図１】本実施形態のツルーイング装置の全体構成を示す概略図である。
【図２】図１の側面図である。
【図３】本実施形態の砥石車の凹凸幅とツルーイングロールの幅の関係を示す概略図である。
【図４】本実施形態のツルーイング動作を示す概略図である。
【図５】本実施形態の最大凸部のツルーイング時のツルーイングロールと砥石車の相対位置を示す概略図である。
【図６】本実施形態のツルーイングロール位置とツルーイングモータ動力を示すグラフである。
【図７】本実施形態の２番目の凸部のツルーイング時のツルーイングロールと砥石車の相対位置を示す概略図である。
【図８】本実施形態の３番目の凸部のツルーイング時のツルーイングロールと砥石車の相対位置を示す概略図である。
【図９】本実施形態の最低凹部のツルーイング時のツルーイングロールと砥石車の相対位置を示す概略図である。
【図１０】本実施形態のアンギュラ形研削への適用例を示す概略図である。
【図１１】従来技術の全体構成を示す概略図である。
【図１２】従来技術のツルーイング動作を示す概略図である
【図１３】従来技術のツルーイング時の砥石除去状態を示す概念図である。
【発明を実施するための形態】
【００１５】
以下、本発明のツルーイング方法の実施の形態を説明する。
本実施形態の工作物の研削部の形状が円筒で構成された多段シャフトを研削する円筒研削盤の実施事例に基づき、図１〜図９を参照しつつ説明する。
図１および図２に示すように、研削盤１は、ベッド２を備え、ベッド２上にＸ軸方向に往復可能な砥石台３と、Ｘ軸に直交するＺ軸方向に往復可能なテーブル４を備えている。砥石台３は砥石軸８を回転自在に支持し、砥石軸８を回転させる砥石軸回転モータ（図示省略する）を備えており、砥石車７は砥石軸８に着脱自在に装着されて回転駆動される。テーブル４上には、工作物Ｗの一端を把持して回転自在に支持し主軸モータ（図示省略する）により回転駆動される主軸５と、工作物Ｗの他端を回転自在に支持する心押し台６を備えており、工作物Ｗは主軸５と心押し台６により支持されて、研削加工時に回転駆動される。ツルーイングモータ１１により回転駆動されるツルーイングロール９を回転自在に支持したツルーイング装置１０が、主軸５に付設されている。
【００１６】
この研削盤１は、所定のプログラムを実行することで自動化された研削加工やツルーイングを実行する制御装置３０を備えている。制御装置３０の機能的構成として、砥石台３の送りを制御するＸ軸制御手段３１、テーブル４の送りを制御するＺ軸制御手段３２、ツルーイング装置１０を制御するツルーイング制御手段３３、砥石軸８の回転を制御する砥石軸制御手段３４などを具備している。また、ツルーイング制御手段３３の内部にはツルーイングモータ１１の動力を検知できるツルーイングモータ動力検知手段３３１を備えている。
【００１７】
上記の研削盤１で工作物Ｗの複数の被加工部を砥石車７を用いて、プランジ研削とトラバース研削を併用して構成される研削パターンで研削すると、図３または図４に示すように、砥石車７の研削作用面が研削量に応じて損耗し、研削量の差に起因する凹凸部が形成される。この凹凸の高低の順位と砥石幅方向での位置と幅は研削パターンにより決まり、同一パターンの研削サイクルを繰り返す場合一定である。所望の研削性能を維持するためには、凹凸部の除去を含む砥石形状の修正と砥粒の切れ味を再生するためのツルーイングが必要となる。なお、図３、図４では凹凸を誇張して図示してあるが、実際の凹凸量は数μｍ程度である。
【００１８】
上記のように損耗した砥石車７のツルーイング方法を図３〜図９に基づき説明する。
図３に示すように、砥石車７の最低凹部が砥石車７の端部に位置する場合は、最も低い凹部を除いた連続する凹凸部の合計幅は砥石車７の全幅から最低凹部の幅Ｂ３を引いた値Ｂ１＋Ｂ２＋Ｂ４となる。ツルーイングロール９の幅Ｂ５はＢ１＋Ｂ２＋Ｂ４より広く設定されている。図４に示すように、最も低い凹部が端部以外にある場合は、最も低い凹部を除いた連続する凹凸部の合計幅はＢ１＋Ｂ２とＢ４となる。ツルーイングロール９の幅Ｂ５はＢ１＋Ｂ２またはＢ４のいずれよりも広く設定されている。
【００１９】
ツルーイング時のツルーイングロールと砥石車の相対運動について、図４に基づき説明する。
ツルーイングロール９をＺ軸方向にテーブル４により移動させ、図４に示すように、砥石車７の最初に除去する最大凸部とツルーイングロール９が接触できる位置bへ割出す。ツルーイングロール９と砥石車７を回転させ、砥石車７をＸ軸方向にツルーイングロール９に接近するように前進させる。砥石車７の凸部とツルーイングロール９が接触したら砥石車７の送りを停止する。このときの砥石車７とツルーイングロール９の接触は、ツルーイングモータ動力検知手段３３１によりツルーイングモータ１１の動力が変動したことにより検知する。
次に、ツルーイングロール９を、砥石車７の凸部に接触した状態でＺ軸方向にテーブル４により右進させ、砥石車７とツルーイングロール９の接触が終了する直前の位置ｃで停止する。ここで、接触が終了する直前の位置とは、ツルーイングロールの進行方向の後部が１ｍｍ程度砥石車のツルーイング部と接触する位置である。次に、砥石車７を所定の量Ｘ軸方向に前進させることにより、ツルーイングロール９を砥石車７に切込む。ツルーイングロール９を、先程と反対のＺ軸方向に、砥石車７の凸部に接触した状態でテーブル４により左進させ、砥石車７とツルーイングロール９の接触が終了する直前の位置aで停止する。さらに、ツルーイングロール９を砥石車７に所定量切込み後に、ツルーイングロール９を位置ｃまで先程と反対方向に右進させる。図５に示すa〜ｃ間のトラバースと切込みを砥石車７の最大凸部が除去されるまで繰り返す。最大凸部が除去されると2番目の凸部とツルーイングロールが接触するため接触幅が増大する。このときの、ツルーイング位置ｃにおけるツルーイングモータ１１の動力変動をツルーイングモータ動力検知手段３３１により検知し、最大凸部の除去の終了を判定する。
図６にツルーイングモータ１１の動力変動とツルーイングロール９のＺ軸方向の位置との関係を示す、実線は凸部を除去中の動力で、破線は凸部の除去が終了して接触幅が増加した時の動力を示す。図中のツルーイングロールＺ軸位置のＣの位置での動力の大きさにより凸部の除去の終了判断をする。
【００２０】
次に、ツルーイングロール９をａの位置まで左進させ、２番目の凸部のツルーイングを開始する。このときのツルーイング対象の幅は最大凸部の幅Ｂ１と初期の２番目の凸部の幅Ｂ２の合計となる。ツルーイングロール９を砥石車７に所定の量切込み後に、ツルーイングロール９を、砥石車７の凸部に接触した状態で、ツルーイングロール９と３番目の凸部が接触しない最大右進位置ｄまで右進させる。次に、ツルーイングロール９を所定の量切込み後に、砥石車７の凸部に接触した状態で、位置aまで先程と反対方向に左進させる。次に、ツルーイングロール９を所定の量切込み後、位置ｄまで先程と反対方向に右進させる。図７に示すa〜ｄ間のトラバースと切込みを砥石車７の２番目の凸部が除去されるまで繰り返す。この時の、ツルーイングロール９と砥石車７の最大接触幅はＢ１＋Ｂ２である。２番目の凸部が除去されると最低凹部とツルーイングロールが接触するため接触幅が増大しツルーイングロール９の幅Ｂ５で接触する。このときの、ツルーイングロール９の位置ｄにおけるツルーイングモータ１１の動力変動の検知により２番目の凸部の除去の終了を判定する。
【００２１】
次に、砥石車７をツルーイングロール９が３番目の凸部に当らない余裕を見た位置までＸ軸方向に後退させる。ツルーイングロール９をＺ軸方向に移動させ、３番目の凸部とツルーイングロール９が接触できる位置ｆへ割出す。砥石車７をＸ軸方向にツルーイングロール９に接近するように前進させる。３番目の凸部とツルーイングロール９が接触したら砥石車７の送りを停止する。このときの砥石車７とツルーイングロール９の接触は、ツルーイングモータ動力検知手段３３１によりツルーイングモータ１１の動力が変動したことにより検知する。
次に、ツルーイングロール９を、３番目の凸部に接触した状態でＺ軸方向に左進させ、３番目の凸部とツルーイングロール９の接触が終了する直前の位置ｅで停止する。次に、ツルーイングロール９を所定の量切込み後に、先程と反対方向に右進させ、３番目の凸部とツルーイングロール９の接触が終了する直前の位置ｇで停止する。さらに、ツルーイングロール９を所定の量切込み後に、ツルーイングロール９を、位置ｅまで先程と反対方向に左進させる。図８に示すｅ〜ｇ間のトラバースと切込みを砥石車７の３番目の凸部が除去されるまで繰り返す。３番目の凸部が除去されると最低凹部とツルーイングロールが接触するため接触幅が増大する。このときの、ツルーイング位置ｅにおけるツルーイングモータ１１の動力変動の検知により３番目の凸部の除去の終了を判定する。
【００２２】
以上の凸部のツルーイング時は、常に砥石車7の凸部とツルーイングロール９が接触し、ツルーイングロール９と砥石車７の最低凹部の接触は最終トラバースの1回のみである。凸部のみが選択的に除去できるため、最低凹部の過剰な除去が防止でき、凸部の除去時間も短縮できる。
【００２３】
次に、ツルーイングロールをｇの位置まで右進し、図９に示す、最低凹部を含む砥石車７のａ〜ｇ間の全幅の仕上げツルーイングを開始する。仕上げツルーイングサイクルは、所定のツルーイングロール９の切込後、左進し位置ａで停止する、さらに所定のツルーイングロール９の切込後、右進し位置ｇで停止する、次に切込無しで左進する。上記のような仕上げツルーイングのサイクルが採用されるが、該当の研削に最適な条件で仕上げツルーイングサイクルを決定すればよい。仕上げツルーイングサイクルが終了した時点でツルーイングを終了する。
【００２４】
なお、本実施例ではツルーイングモータ１１の動力を検知してツルーイングロール９と砥石車７の接触を検知したが、ツルーイングロール９に加わる抵抗力やアコースティックエミッション（ＡＥ）信号などの他の検知手段を用いてもよい。
また、本実施例では砥石車７とツルーイングロール９が円筒形状の場合について説明したが、図１０に示すショルダ付き円筒工作物の研削に使用される、アンギュラ形砥石車１５にも適用可能である。この場合は、そろばん玉状のツルーイングロール１６を用いて、砥石車１５のショルダ面のツルーイングはＺ軸方向を切込としＸ軸方向に往復運動し、砥石車１５の円筒部加工面のツルーイングはＸ軸方向を切込としＺ軸方向に往復運動させることでツルーイングする。
【００２５】
以上の結果、ツルーイング初期にはツルーイングロール９と砥石車７の外周面の凸部が常に接触しており、最低凹部にツルーイングロール９が接触することはない。凸部のみが選択的に除去され、凸部が最低凹部と同じ高さになった後に最低凹部を含む砥石車７の全面がツルーイングされる。このため、最低凹部の過剰な除去が防止でき砥石寿命が長くなるため、研削加工のコストを低下できる。さらに、効率的に段差除去ができツルーイング時間を短縮できるため、研削加工の効率を向上できる。
凸部とツルーイングロール９の接触をツルーイングモータ１１の動力変動で判定できるので、ツルーイングロール９が砥石車７の凸部に接触するまでは高速でツルーイングロール９を砥石車７に接近させ、接触検知後にツルーイングを開始することが可能で、ツルーイング開始までに必要な時間を短縮できる。
ツルーイングロールが選択された凸部に常に接触しながら必要な幅だけ往復しツルーイングするので、従来のように砥石車とツルーイングロールが接触しない無駄な行程を省略できる。
凸部の除去が終了し段差がなくなったことを、ツルーイングロール９と砥石車７の接触幅が広くなることによるモータ動力検知手段３３１の出力変動で判定できる。凸部の除去を終えたと判定した時点で、次の凸部のツルーイングサイクルまたは仕上げサイクルを起動してツルーイングを終了することができる。
以上より、凹凸のパターンに対応した最短行程でツルーイングでき、さらに、あらかじめ余裕を見たツルーイングサイクルを実施する必要がなくなり、無駄な時間を短縮し、効率的なツルーイングを実現できる。
工作物の加工部形状が円筒、円錐及びショルダ付き円筒、ショルダ付き円錐の研削加工における、コスト低下と、効率向上ができる。
【００２６】
＜本実施形態の変形態様＞
上記の実施形態では回転式のツルーイングロール９、１６を備えた場合について説明したが、これに限定されるものではなく、ツルーイングロール９、１６をツルーイングブロックとして静止した状態でツルーイングするツルーイング方法にも適用可能である。
【符号の説明】
【００２７】
Ｗ：工作物  ４：テーブル  ７、１５、４５：砥石車  ９、１６、４６：ツルーイングロール  １０、４７：ツルーイング装置  １１：ツルーイングモータ  ３３１：ツルーイングモータ動力検知手段  
【図１】
0005445100.tif 000002
【図２】
0005445100.tif 000003
【図３】
0005445100.tif 000004
【図４】
0005445100.tif 000005
【図５】
0005445100.tif 000006
【図６】
0005445100.tif 000007
【図７】
0005445100.tif 000008
【図８】
0005445100.tif 000009
【図９】
0005445100.tif 000010
【図１０】
0005445100.tif 000011
【図１１】
0005445100.tif 000012
【図１２】
0005445100.tif 000013
【図１３】
0005445100.tif 000014